(57)【要約】【課題】  表示幕を加工することなく、表示幕を簡便に取り付けたり交換できたりできる情報表示装置を提供する。【解決手段】  第１の保持体及び第２の保持体は係合部を有し、第１の保持体及び第２の保持体は、係合部と係合可能な被係合部を有する支持部に着脱可能に支持され、係合部が被係合部に係合されることで、第１の保持体及び第２の保持体が支持部に取り付けられ、第１の保持体と第２の保持体との間に情報表示体が配置される。【選択図】  図１
2016197206.tif 000002
【特許請求の範囲】
【請求項１】
情報表示体の第１の端部を保持する第１の保持体と、
前記第１の保持体から離隔した位置に配置される第２の保持体であって、前記情報表示体の前記第１の端部とは異なる第２の端部を保持する第２の保持体と、を備え、
前記第１の保持体及び前記第２の保持体は係合部を有し、
前記第１の保持体及び前記第２の保持体は、前記係合部と係合可能な被係合部を有する支持部に着脱可能に支持され、
前記係合部が前記被係合部に係合されることで、前記第１の保持体及び前記第２の保持体が前記支持部に取り付けられ、前記第１の保持体と前記第２の保持体との間に前記情報表示体が配置される情報表示装置。
【請求項２】
前記係合部と前記被係合部との係合が解除されることで、前記第１の保持体及び前記第２の保持体は前記支持部から取り外される請求項１に記載の情報表示装置。
【請求項３】
前記第２の保持体は、
円筒状の円筒部と、
前記円筒部の内側に軸方向に沿って設けられた操作シャフトと、
前記操作シャフトと前記円筒部とを連結しかつ互いの動作を伝達可能な伝達部と、を有し、
前記伝達部は、前記操作シャフトの長手方向に沿って第１の位置と前記第１の位置から離隔した第２の位置とに移動可能で、
前記伝達部は、前記操作シャフトの前記第１の位置に位置するときには、前記円筒部は、前記操作シャフトに対して正方向の回転を許可しかつ逆方向の回転を禁止し、
前記伝達部は、前記操作シャフトの前記第２の位置に位置するときには、前記円筒部は、前記操作シャフトに対して正方向及び逆方向の回転を許可し、
前記操作シャフトは、前記円筒部から突出する端部を有し、
前記操作シャフトの前記端部に前記係合部が設けられ、前記第２の保持体は、前記操作シャフトを介して前記支持部に取り付けられる請求項１に記載の情報表示装置。
【請求項４】
前記円筒部は、底部に貫通孔と、前記底部に形成された掛止部と、を有し、
前記貫通孔から前記固定シャフトの端部に係合可能な第１の係合端と、
前記掛止部に係合可能な第２の係合端と、を有する操作補助具をさらに備える請求項３に記載の情報表示装置。
【発明の詳細な説明】
【技術分野】
【０００１】
店頭などで情報を提示する情報表示装置に関する。
【背景技術】
【０００２】
コンビニエンスストアなどの店舗の店頭で横断幕状の広告用の表示幕を設置する表示装置がある。表示幕は、店舗の店頭の天井から吊るされ、期間限定のキャンペーンやサービスを来店客に提示する。表示幕は、目立つように大きくする必要があるとともに来店客の邪魔にならないようにするために天井から吊るすのが一般的である。このため、表示幕を軽量化する必要があり、薄い布で構成される。
【０００３】
このような表示幕は、一般的に期間限定の情報を来店客に提示する場合が多く、期間が終了する場合には、別の新たな表示幕に交換する必要がある。このため、所定の期間を経過するごとに表示幕を交換する作業を要する。
【０００４】
上述したように表示幕は、布などで構成されるが、店頭では、風によって表示幕がめくれるこのため、表示幕が常に伸張した状態を維持するために表示幕を保持する保持体が用いられる（例えば、特許文献１参照）。
【０００５】
また、表示幕を保持する回転軸がラチェット機構などと連結されているものや（例えば、特許文献２参照）、可動フレームなどと連結されているものがある（例えば、特許文献３参照）。
【先行技術文献】
【特許文献】
【０００６】
【特許文献１】特開平１１−１７５００５号公報
【特許文献２】特開２０１１−５３３４７号公報
【特許文献３】実用新案登録第３１７２７５５号公報
【発明の概要】
【発明が解決しようとする課題】
【０００７】
従来の情報表示装置では、表示幕の端部を事前に加工する必要があり、表示幕の交換作業が煩雑になっていた。また、表示幕を保持する回転軸が取り外すことができず、表示幕を設置する際には、脚立等に乗って作業をしたり、２人以上の作業員を必要としていた。
【０００８】
本発明は、上述の点に鑑みてなされたものであり、その目的とするところは、表示幕を加工することなく、表示幕を簡便にかつ短時間で取り付けたり交換したりすることができる情報表示装置を提供することにある。
【課題を解決するための手段】
【０００９】
本発明による情報表示装置の第１の実施態様は、
情報表示体の第１の端部を保持する第１の保持体と、
前記第１の保持体から離隔した位置に配置される第２の保持体であって、前記情報表示体の前記第１の端部とは異なる第２の端部を保持する第２の保持体と、を備え、
前記第１の保持体及び前記第２の保持体は係合部を有し、
前記第１の保持体及び前記第２の保持体は、前記係合部と係合可能な被係合部を有する支持部に着脱可能に支持され、
前記係合部が前記被係合部に係合されることで、前記第１の保持体及び前記第２の保持体が前記支持部に取り付けられ、前記第１の保持体と前記第２の保持体との間に前記情報表示体が配置される。
【００１０】
本発明による情報表示装置の第２の実施態様は、第１の実施態様に加えて、
前記係合部と前記被係合部との係合が解除されることで、前記第１の保持体及び前記第２の保持体は前記支持部から取り外される。
【００１１】
本発明による情報表示装置の第３の実施態様は、第１の実施態様に加えて、
前記第２の保持体は、
円筒状の円筒部と、
前記円筒部の内側に軸方向に沿って設けられた操作シャフトと、
前記操作シャフトと前記円筒部とを連結しかつ互いの動作を伝達可能な伝達部と、を有し、
前記伝達部は、前記操作シャフトの長手方向に沿って第１の位置と前記第１の位置から離隔した第２の位置とに移動可能で、
前記伝達部は、前記操作シャフトの前記第１の位置に位置するときには、前記円筒部は、前記操作シャフトに対して正方向の回転を許可しかつ逆方向の回転を禁止し、
前記伝達部は、前記操作シャフトの前記第２の位置に位置するときには、前記円筒部は、前記操作シャフトに対して正方向及び逆方向の回転を許可し、
前記操作シャフトは、前記円筒部から突出する端部を有し、
前記操作シャフトの前記端部に前記係合部が設けられ、前記第２の保持体は、前記操作シャフトを介して前記支持部に取り付けられる。
【００１２】
本発明による情報表示装置の第４の実施態様は、第３の実施態様に加えて、
前記円筒部は、底部に貫通孔と、前記底部に形成された掛止部と、を有し、
前記貫通孔から前記固定シャフトの端部に係合可能な第１の係合端と、
前記掛止部に係合可能な第２の係合端と、を有する操作補助具をさらに備える。
【発明の効果】
【００１３】
表示幕を加工することなく、表示幕を簡便にかつ短時間で取り付けたり交換したりすることができる。
【図面の簡単な説明】
【００１４】
【図１】本実施の形態による情報表示装置の概要を示す斜視図である。
【図２】情報表示装置の取り付けの手順を示す概略図である。
【図３】情報表示装置の取り付けを示す概略図である。
【図４】可動側の表示幕巻取りパイプ及び操作シャフトの構造を示す断面図である。
【図５】可動側の表示幕巻取りパイプを示す断面図である。
【図６】操作シャフトの構造を示す側面図である。
【図７】可動側の表示幕巻取りパイプを操作ケースに取り付ける過程を示す概略図である。
【図８】可動側の表示幕巻取りパイプを操作ケースに取り付ける過程を示す概略図である。
【図９】可動側の表示幕巻取りパイプを操作ケースに取り付ける過程を示す概略図である。
【図１０】可動側の表示幕巻取りパイプを操作ケースに取り付けた状態を示す断面図である。
【図１１】ワンウエイクラッチが伝達可能状態にあるときと回転自由状態伝達可能状態にあるときとの可動側の表示幕巻取りパイプを示す図である。
【図１２】ワンウエイクラッチが伝達可能状態にあるときと回転自由状態伝達可能状態にあるときとを示す図である。
【図１３】表示幕テンション操作棒による操作を示す図である。
【図１４】表示幕テンション操作棒による操作を示す図である。
【図１５】表示幕押えシートを可動側の表示幕巻取りパイプに取り付けた状態を示す斜視図である。
【図１６】表示幕押えシートを可動側の表示幕巻取りパイプに取り付けた状態を示す断面図である。
【図１７】操作ケースの操作ケース底板を示す断面図である。
【発明を実施するための形態】
【００１５】
以下に、実施の形態について図面に基づいて説明する。
【００１６】
＜＜＜情報表示装置１００の概要＞＞＞
図１は、情報表示装置１００の概要を示す図である。図１に示すように、情報表示装置１００は、主に、固定側の表示幕巻取りパイプ１５０と可動側の表示幕巻取りパイプ１６０と表示幕１１０とを有する。
【００１７】
固定側の表示幕巻取りパイプ１５０及び可動側の表示幕巻取りパイプ１６０は、互いに離隔した位置に略垂直方向に吊り下げられて取り付けられる。固定側の表示幕巻取りパイプ１５０と可動側の表示幕巻取りパイプ１６０との間に亘って表示幕１１０が視認可能に設けられる。
【００１８】
表示幕１１０には、広告などの各種の情報が印刷などによって形成されている。表示幕１１０を固定側の表示幕巻取りパイプ１５０と可動側の表示幕巻取りパイプ１６０との間に設けることによって、各種の情報を顧客などに提示することができる。
【００１９】
本実施の形態では、固定側の表示幕巻取りパイプ１５０を表示幕１１０の正面に向って左側に取り付け、可動側の表示幕巻取りパイプ１６０を表示幕１１０の正面に向って右側に取り付ける場合を一例として示す。なお、固定側の表示幕巻取りパイプ１５０を右側に取り付け、可動側の表示幕巻取りパイプ１６０を左側に取り付けてもよい。
【００２０】
図１に示すように、店舗の店頭の天井には、２つの操作ケース３００が固定されている。固定側の表示幕巻取りパイプ１５０及び可動側の表示幕巻取りパイプ１６０を操作ケース３００に着脱可能に取り付けることができる。
【００２１】
以下で、情報表示装置１００の構成を詳細に説明する。
【００２２】
＜＜＜固定側の表示幕巻取りパイプ１５０及び可動側の表示幕巻取りパイプ１６０＞＞＞
固定側の表示幕巻取りパイプ１５０及び可動側の表示幕巻取りパイプ１６０は、長尺な形状を有し、略円筒状の形状を有する。上述したように、固定側の表示幕巻取りパイプ１５０及び可動側の表示幕巻取りパイプ１６０は、天井の操作ケース３００から略垂直方向に吊るされて取り付けられる。
【００２３】
固定側の表示幕巻取りパイプ１５０及び可動側の表示幕巻取りパイプ１６０は、上端開口部１７０と下端開口部１７２とを有する。固定側の表示幕巻取りパイプ１５０及び可動側の表示幕巻取りパイプ１６０に操作シャフト２００が設けられている。
【００２４】
＜＜＜操作シャフト２００＞＞＞
図６は、操作シャフト２００の構造を示す側面図である。操作シャフト２００は長尺な形状を有する。図４に示すように、固定側の表示幕巻取りパイプ１５０及び可動側の表示幕巻取りパイプ１６０の内側に、長手方向に沿って長尺な操作シャフト２００が設けられる。固定側の表示幕巻取りパイプ１５０及び可動側の表示幕巻取りパイプ１６０の上端開口部１７０から操作シャフト２００が突出し、突出した操作シャフト２００の端部２０２に操作シャフト先端部品２１０が設けられている。操作シャフト先端部品２１０を操作ケース３００に取り付けることによって、固定側の表示幕巻取りパイプ１５０及び可動側の表示幕巻取りパイプ１６０を略垂直方向に店舗の店頭の天井から吊るして取り付けることができる。
【００２５】
操作シャフト２００の操作端部２１８には、ネジ溝（図示せず）が形成され、ネジ溝には高ナット２２０が螺合されている。操作端部２１８は、固定側の表示幕巻取りパイプ１５０及び可動側の表示幕巻取りパイプ１６０の内部に位置する（図４参照）。操作端部２１８を固定側の表示幕巻取りパイプ１５０及び可動側の表示幕巻取りパイプ１６０の外側ではなく内側に位置づけたことにより、操作シャフト２００を誤って回転操作されることを防止できる。
【００２６】
図７〜図９に示すように、固定側の表示幕巻取りパイプ１５０及び可動側の表示幕巻取りパイプ１６０の下端開口部１７２から高ナット２２０を回転操作して操作シャフト２００を回転させることができる。操作シャフト２００を回転させることで操作シャフト先端部品２１０を回転させることができる。表示幕装置設置操作棒４００を下端開口部１７２から挿入し、表示幕装置設置操作棒４００を高ナット２２０に係合することで、表示幕装置設置操作棒４００によって操作シャフト２００を回転させることができる。
【００２７】
表示幕装置設置操作棒４００は、操作シャフト２００の操作シャフト先端部品２１０を操作ケース３００に取り付けたり取り外したりするときに用いられる。
【００２８】
可動側の表示幕巻取りパイプ１６０の下端開口部１７２に２つの操作溝１８０が形成されている。操作溝１８０が、下端開口部１７２の外周の互いに向かい合う２箇所に形成されている。操作溝１８０は略Ｕ字状の形状に形成されている。
【００２９】
表示幕テンション操作棒４１０の端部に直線状の棒体４１２が設けられている。表示幕テンション操作棒４１０の棒体４１２を略Ｕ字状の２箇所の操作溝１８０に係合することで、可動側の表示幕巻取りパイプ１６０を回転させることができる。操作シャフト先端部品２１０を操作ケース３００に取り付けた状態で、可動側の表示幕巻取りパイプ１６０のみを回転させることができる。可動側の表示幕巻取りパイプ１６０を回転させることで、表示幕１１０にテンションをかけて表示幕１１０を伸張させることができる。
【００３０】
表示幕テンション操作棒４１０は、可動側の表示幕巻取りパイプ１６０を回転させて表示幕１１０にテンションをかけるときに用いられる。
【００３１】
＜＜＜固定側の表示幕巻取りパイプ１５０＞＞＞
固定側の表示幕巻取りパイプ１５０には、操作シャフト２００が固定的に取り付けられている。操作シャフト２００は、２つのスリーブ（図示せず）を介して固定側の表示幕巻取りパイプ１５０の内側にねじ止めされている。２つのスリーブは、操作シャフト２００の長手方向に沿って互いに離隔した位置に固定されている。固定側の表示幕巻取りパイプ１５０の内側に２つのスリーブが固定されている。このように、操作シャフト２００が固定側の表示幕巻取りパイプ１５０に一体に設けられており、固定側の表示幕巻取りパイプ１５０は、操作シャフト２００に対して回転することも長手方向に沿って変位することもはない。
【００３２】
固定側の表示幕巻取りパイプ１５０に操作シャフト２００を固定的に取り付けたことで、操作シャフト２００の操作端部２１８を操作すると、操作シャフト２００の動作は、常に固定側の表示幕巻取りパイプ１５０に伝達される。反対に、固定側の表示幕巻取りパイプ１５０を操作すると、固定側の表示幕巻取りパイプ１５０の動作は操作シャフト２００に常に伝達される。
【００３３】
＜＜＜可動側の表示幕巻取りパイプ１６０＞＞＞
図４に示すように、可動側の表示幕巻取りパイプ１６０は、ワンウエイクラッチ２３０を介して操作シャフト２００に連結されている。ワンウエイクラッチ２３０は、可動側の表示幕巻取りパイプ１６０の内側に固定されている。本実施の形態では、ワンウエイクラッチ２３０は、クラッチホルダー２３２を介して、可動側の表示幕巻取りパイプ１６０の内側に固定される。図５に示すように、クラッチホルダー２３２は、ネジ２４６によって可動側の表示幕巻取りパイプ１６０に固定される。ワンウエイクラッチ２３０の外径と可動側の表示幕巻取りパイプ１６０の内径を適宜定めることによって、クラッチホルダー２３２を省くこともできる。
【００３４】
可動側の表示幕巻取りパイプ１６０は、ホルダー２３６を介して操作シャフト２００に回転可能に保持されている。ホルダー２３６は、可動側の表示幕巻取りパイプ１６０の内側にネジ２４６によって固定されている。ホルダー２３６は略円筒状の形状を有し、ホルダー２３６に形成された貫通孔に操作シャフト２００が回転可能に保持される。ホルダー２３６によって、操作シャフト２００の回転動作を安定化させることができる。
【００３５】
図４及び図６に示すように、ワンウエイクラッチ２３０とホルダー２３６との間には、スペーサ２３８が設けられている。スペーサ２３８は細長い円筒状の形状を有する。スペーサ２３８によって、ワンウエイクラッチ２３０とホルダー２３６との間隔を画定できる。スペーサ２３８によってワンウエイクラッチ２３０とホルダー２３６との間を保持することで、操作シャフト２００の可動側の表示幕巻取りパイプ１６０への取り付けを容易にすることができる。
【００３６】
ワンウエイクラッチ２３０の状態に応じて、可動側の表示幕巻取りパイプ１６０の動作を操作シャフト２００に伝達する場合と伝達しない場合とがある。
【００３７】
なお、上述したように、固定側の表示幕巻取りパイプ１５０には、操作シャフト２００が固定的に取り付けられており、ワンウエイクラッチ２３０は設けられていない。この点で、可動側の表示幕巻取りパイプ１６０は、固定側の表示幕巻取りパイプ１５０の構造と相違する。
【００３８】
＜＜＜ワンウエイクラッチ２３０＞＞＞
図１１及び図１２に示すように、ワンウエイクラッチ２３０は操作シャフト２００の長手方向に沿って往復移動できるよに可動側の表示幕巻取りパイプ１６０に設けられている。ワンウエイクラッチ２３０は、往復移動によって、伝達可能状態と回転自由状態との２つの状態をとることができる。上述したように、ワンウエイクラッチ２３０は、可動側の表示幕巻取りパイプ１６０に固定されており、可動側の表示幕巻取りパイプ１６０を往復移動することによって、ワンウエイクラッチ２３０を操作シャフト２００に対して往復移動させることができる。
【００３９】
図１２に示すように、操作シャフト２００の直径は、操作シャフト先端部品２１０から離れた下側が太く形成され（φＡ）、操作シャフト先端部品２１０に近い上側が細く形成されている（φＢ）。
【００４０】
図１２（ａ）に示すように、ワンウエイクラッチ２３０が、操作シャフト先端部品２１０から離れた位置（下側）に移動したときには、操作シャフト２００の直径（φＡ）は太く、ワンウエイクラッチ２３０は伝達可能状態となる。一方、図１２（ｂ）に示すように、ワンウエイクラッチ２３０が、操作シャフト先端部品２１０に近づいた位置（上側）に移動したときには、操作シャフト２００の直径（φＢ）は細く、ワンウエイクラッチ２３０が回転自由状態（フリーの状態）となる。
【００４１】
可動側の表示幕巻取りパイプ１６０は、操作ケース３００から略垂直方向に吊るされて取り付けられる。可動側の表示幕巻取りパイプ１６０が略垂直方向に取り付けられた状態では、操作シャフト先端部品２１０から離れた位置は、可動側の表示幕巻取りパイプ１６０の下側の位置となり、操作シャフト先端部品２１０に近づいた位置は、可動側の表示幕巻取りパイプ１６０の上側の位置となる。
【００４２】
可動側の表示幕巻取りパイプ１６０は、ワンウエイクラッチ２３０を介して操作シャフト２００に連結されている。したがって、図１１（ａ）に示すように、可動側の表示幕巻取りパイプ１６０が下側に移動したときには、ワンウエイクラッチ２３０は伝達可能状態（下側の位置）となり、図１１（ｂ）に示すように、可動側の表示幕巻取りパイプ１６０が上側に移動したときには、ワンウエイクラッチ２３０は回転自由状態（上側の位置）となる。このように、可動側の表示幕巻取りパイプ１６０を上下動させることによって、ワンウエイクラッチ２３０の状態を制御することができる。
【００４３】
＜＜伝達可能状態＞＞
ワンウエイクラッチ２３０が伝達可能状態（図１１（ａ）及び図１２（ａ）参照）であっても、反時計回りの回転と時計回りの回転とでは動作が異なる。本明細書では、時計回り及び反時計回りの表現は、下方から上方を向いたときの回転方向を意味する。
【００４４】
＜反時計回りの回転＞
ワンウエイクラッチ２３０が伝達可能状態であるときに、可動側の表示幕巻取りパイプ１６０を反時計回りに回したときには可動側の表示幕巻取りパイプ１６０の動作を操作シャフト２００に伝達することができる。すなわち、可動側の表示幕巻取りパイプ１６０と操作シャフト２００とを一体的に動作させることができる。言い換えれば、ワンウエイクラッチ２３０が伝達可能状態であるときには、操作シャフト２００が回転しないように固定されれば、可動側の表示幕巻取りパイプ１６０も回転しないように固定できる。
【００４５】
このように、操作シャフト２００を固定すれば、可動側の表示幕巻取りパイプ１６０も固定でき、操作シャフト２００と可動側の表示幕巻取りパイプ１６０との固定状態を保持することができる。したがって、ワンウエイクラッチ２３０を伝達可能状態にすれば、表示幕１１０が風などによって力を受けた場合であっても操作シャフト２００及び可動側の表示幕巻取りパイプ１６０が回転することはなく、表示幕１１０の伸張状態を保持することができる。
【００４６】
＜時計回りの回転＞
一方、ワンウエイクラッチ２３０が伝達可能状態であるときであっても、可動側の表示幕巻取りパイプ１６０を時計回りに回したときには可動側の表示幕巻取りパイプ１６０の動作を操作シャフト２００に伝達することができない。すなわち、操作シャフト２００を操作ケース３００に取り付けて固定した状態であっても、可動側の表示幕巻取りパイプ１６０を操作シャフト２００に対して回転できる状態となる。可動側の表示幕巻取りパイプ１６０を時計回りに回すことによって、表示幕１１０にテンションをかけて、固定側の表示幕巻取りパイプ１５０及び可動側の表示幕巻取りパイプ１６０の間に表示幕１１０を伸張させることができる。
【００４７】
操作シャフト２００を操作ケース３００に取り付けて固定した状態では、操作シャフト２００を回転させることはできない。また、操作シャフト２００を操作ケース３００に取り付けて固定した状態で、ワンウエイクラッチ２３０を伝達可能状態にしたときには、可動側の表示幕巻取りパイプ１６０を反時計回りに回転させることはできないが、時計回りのみに回転させることができる。
【００４８】
可動側の表示幕巻取りパイプ１６０を時計回りに回して、表示幕１１０を一旦伸張させれば、可動側の表示幕巻取りパイプ１６０は反時計回りには回転しないので、表示幕１１０の伸張状態を保持することができる。
【００４９】
＜＜操作シャフトバネ２３４＞＞
図４、図６、図１０、図１１に示すように、ワンウエイクラッチ２３０の上側と操作シャフト先端部品２１０との間には、操作シャフトバネ２３４が設けられている。ワンウエイクラッチ２３０は、操作シャフトバネ２３４によって、操作シャフト先端部品２１０から離隔する方向、すなわち下方に向って付勢される。図１１（ａ）に示すように、可動側の表示幕巻取りパイプ１６０を操作シャフトバネ２３４によって付勢することにより、ワンウエイクラッチ２３０の伝達可能状態を通常の状態にすることができる。図１１（ｂ）に示すように、操作シャフトバネ２３４の付勢力に逆らって可動側の表示幕巻取りパイプ１６０を上方向に移動させることで、ワンウエイクラッチ２３０を回転自由状態にすることができる。
【００５０】
＜＜回転自由状態＞＞
ワンウエイクラッチ２３０が回転自由状態であるときには（図１１（ｂ）及び図１２（ｂ）参照）、可動側の表示幕巻取りパイプ１６０を反時計回りに回した場合でも時計回りに回した場合でも可動側の表示幕巻取りパイプ１６０の動作を操作シャフト２００に伝達することができない。すなわち、可動側の表示幕巻取りパイプ１６０を操作シャフト２００に対して時計回りでも反時計回りでも回転させることができる。可動側の表示幕巻取りパイプ１６０を取り外すときなどには、表示幕１１０を一旦緩めることができ、表示幕１１０を痛めることなく、可動側の表示幕巻取りパイプ１６０を天井から外すことができる。
【００５１】
＜＜＜操作シャフト先端部品２１０＞＞＞
図４及び図６に示すように、操作シャフト２００の端部２０２には操作シャフト先端部品２１０が取り付けられている。図７（ｂ）、図８（ｂ）、図９（ｂ）に示すように、操作シャフト先端部品２１０は、略十字状の形状を有する。
【００５２】
操作シャフト先端部品２１０は、中心部２１２と中心部２１２から半径方向に沿って外向きに向かって伸びる４つの係合片２１４を有する。４つの係合片２１４は、操作シャフト２００の軸方向に対して垂直方向に沿って配置されている。４つの係合片２１４は細長い薄い板によって構成される。
【００５３】
図７（ａ）及び（ｂ）、図８（ａ）及び（ｂ）、図９（ａ）及び（ｂ）に示すように、操作シャフト２００が回転すると、中心部２１２を回転中心として操作シャフト先端部品２１０が回転する。
【００５４】
４つの係合片２１４の各々の先端部には、操作シャフトストッパ２４０が形成されている。操作シャフトストッパ２４０は、係合片２１４に略垂直に操作端部２１８に向かうように形成されている。操作シャフトストッパ２４０は、頭部２４２と頭部２４２よりも細く形成された軸部２４４とを有する。操作シャフトストッパ２４０はネジやボルトなどによって構成されるのが好ましい。
【００５５】
＜＜＜操作ケース３００＞＞＞
図１０に示すように、操作ケース３００は、操作ケース上板３０２と、操作ケース底板３０４とを有する。操作ケース上板３０２は、店舗の天井にねじやナットなどによって固定される。図１７に示すように、操作ケース底板３０４は、略十字状の形状を有する貫通孔３０６が形成されている。貫通孔３０６の周囲には、略９０度ごとに４つの係止孔３１０が形成されている。係止孔３１０は、操作シャフトストッパ２４０の頭部２４２が通過できる太径部３１２と、操作シャフトストッパ２４０の軸部２４４を掛止できる細径部３１４とを有する。
【００５６】
図７（ａ）及び（ｂ）並びに図８（ａ）及び（ｂ）に示すように、貫通孔３０６に操作シャフト先端部品２１０を貫通させることができる。操作シャフト先端部品２１０を貫通孔３０６に貫通させた後、操作シャフト２００を回転させることで、操作シャフト先端部品２１０を変位させて、操作シャフトストッパ２４０の頭部２４２を太径部３１２に通過させる。さらに、図９（ａ）及び（ｂ）に示すように、操作シャフト先端部品２１０を変位させて、操作シャフトストッパ２４０の軸部２４４を細径部３１４に掛止する。操作シャフトストッパ２４０の軸部２４４を細径部３１４に掛止することで、操作シャフト２００を操作ケース３００に係止することができる。
【００５７】
操作ケース３００は、押盤３２０と操作ケースバネ３２２を有する。操作ケースバネ３２２の端部は、操作ケース上板３０２に設けられた受盤３２４に収容されている。図７（ｃ）に示すように、押盤３２０は操作ケースバネ３２２の付勢力によって上下動可能に押圧される。図８（ｃ）、図９（ｃ）、図１０、図１１に示すように、操作シャフト先端部品２１０が貫通孔３０６に挿入されたときには、押盤３２０を介して操作ケースバネ３２２の付勢力によって操作シャフト先端部品２１０を押圧して、操作シャフト２００を保持することができる。操作ケースバネ３２２の付勢力によって操作シャフト２００を保持するので、表示幕１１０が風などの力を受けた場合でも固定側の表示幕巻取りパイプ１５０及び可動側の表示幕巻取りパイプ１６０が揺れ動くことを防止し、表示幕１１０を安定的に保持できる。
【００５８】
＜＜表示幕１１０の取り付け＞＞
図１５及び図１６に示すように、固定側の表示幕巻取りパイプ１５０と可動側の表示幕巻取りパイプ１６０との外周には、長手方向に沿って表示幕固定溝１９０が形成されている。表示幕固定溝１９０は、断面が略長方形状の形状を有し、細長い開口が形成されている。表示幕固定溝１９０の長手方向に沿って係止板１９２を挿入することができる。係止板１９２は、表示幕固定溝１９０の断面よりも小さく形成されている。係止板１９２は、表示幕固定溝１９０に係止されて開口から抜け出ない。
【００５９】
図１６に示すように、表示幕１１０を取り付けるための表示幕押えシート１９４は、略半分に折り曲げられ、表示幕押えシート１９４の折り曲げの中心部分が係止板１９２に重なるように、係止板１９２と表示幕押えシート１９４とを位置づける。係止板１９２を表示幕押えシート１９４に重ねた状態で、表示幕固定溝１９０にスライドさせて挿入する。係止板１９２及び表示幕押えシート１９４は、固定側の表示幕巻取りパイプ１５０及び可動側の表示幕巻取りパイプ１６０の上端開口部１７０や下端開口部１７２から表示幕固定溝１９０に挿入できる。表示幕押えシート１９４は、係止板１９２によって表示幕固定溝１９０に係止され、表示幕固定溝１９０から抜け出ることはない。
【００６０】
表示幕押えシート１９４は可撓性を有する。表示幕押えシート１９４は、主に布製が好ましい。表示幕押えシート１９４は、表示幕固定溝１９０に着脱可能に取り付けられる。表示幕１１０は、互い向かい合う表示幕押えシート１９４の間に挟まれる。表示幕押えシート１９４は、表示幕１１０と略同じ幅を有する。表示幕押えシート１９４の端部にはマグネット１９６が互いに重なるように設けられている。
【００６１】
表示幕１１０は、互い向かい合う表示幕押えシート１９４によって挟まれるととともに、マグネットの磁力によって押圧される。表示幕押えシート１９４によって表示幕１１０を挟むことにより、表示幕１１０の端部を表示幕押えシート１９４を介して固定側の表示幕巻取りパイプ１５０及び可動側の表示幕巻取りパイプ１６０に取り付けることができる。互い向かい合う表示幕押えシート１９４によって表示幕１１０の端部を挟むので、表示幕１１０に加工を施すことなく、固定側の表示幕巻取りパイプ１５０及び可動側の表示幕巻取りパイプ１６０に取り付けることができる。また、表示幕１１０を交換するときも、マグネット１９６を外せば、表示幕１１０を表示幕押えシート１９４から外すことができる。
【００６２】
表示幕１１０を、表示幕押えシート１９４で挟み、マグネットの磁力によって押圧した状態にして、固定側の表示幕巻取りパイプ１５０と可動側の表示幕巻取りパイプ１６０の周囲に巻きつける。固定側の表示幕巻取りパイプ１５０と可動側の表示幕巻取りパイプ１６０に巻きつけることによって、表示幕１１０と表示幕押えシート１９４との間の接触面積を増やし、摩擦力を高めることができる。このように、表示幕押えシート１９４で挟む力と、マグネットの磁力と、巻きつけによる摩擦力とによって、固定側の表示幕巻取りパイプ１５０と可動側の表示幕巻取りパイプ１６０に表示幕１１０を安定的に係止することができ、表示幕１１０に力が加わった場合でも、固定側の表示幕巻取りパイプ１５０と可動側の表示幕巻取りパイプ１６０から表示幕１１０が外れることを防止できる。
【００６３】
＜＜表示幕装置設置操作棒４００及び表示幕テンション操作棒４１０＞＞
表示幕装置設置操作棒４００には、嵌合孔が形成されている。嵌合孔は、操作シャフト２００の操作端部２１８の高ナット２２０を嵌合できる形状を有する。表示幕装置設置操作棒４００の嵌合孔に操作シャフト２００の操作端部２１８の高ナット２２０を挿入することができる。表示幕装置設置操作棒４００を高ナット２２０に挿入することで、操作シャフト２００を回転することができる。
【００６４】
表示幕テンション操作棒４１０を、固定側の表示幕巻取りパイプ１５０及び可動側の表示幕巻取りパイプ１６０の下端開口部１７２の操作溝１８０に挿入することができる。表示幕テンション操作棒４１０を操作溝１８０に挿入することで固定側の表示幕巻取りパイプ１５０及び可動側の表示幕巻取りパイプ１６０を回転することができる。
【００６５】
＜＜＜表示幕１１０＞＞＞
表示幕１１０は、長方形の形状を有する。表示幕１１０は、図３に示すように、最終的には、店舗の店頭の天井部に沿って長手方向に伸長するように配置される。
【００６６】
表示幕１１０は、主に布製である。表示幕１１０を構成する布地は、日光や雨や寒暖などの気候や環境に影響されにくい化学繊維などの素材が好ましい。また、補強のために一部にプラスチックや金属などが埋設されていてもよい。
【００６７】
表示幕１１０には各種の文字情報や画像情報が印刷などによって形成されている。表示幕１１０が店頭で伸長するように配置されることで来店客に文字情報や画像情報を視認可能に提示することができる。本実施の形態では、長尺な表示幕１１０の長手方向が水平になるように、短手方向が垂直になるように配置される。なお、長手方向が垂直になるように、短手方向が水平になるように配置するようにしてもよい。さらに、表示幕１１０を斜めに傾けて配置してもよい。
【００６８】
表示幕１１０は、短手方向に沿った２つの第１の端部１１２及び第２の端部１１４を有する。上述したように、表示幕１１０の第１の端部１１２を表示幕押えシート１９４によって挟んで、固定側の表示幕巻取りパイプ１５０に取り付ける。表示幕１１０の第２の端部１１４を表示幕押えシート１９４によって挟んで、可動側の表示幕巻取りパイプ１６０に取り付ける。これによって、固定側の表示幕巻取りパイプ１５０と可動側の表示幕巻取りパイプ１６０と表示幕１１０とを一体に形成できる。
【００６９】
＜＜＜情報表示装置１００の取り付け及び取り外し＞＞＞
＜＜情報表示装置１００の取り付け＞＞
図２及び図３は、情報表示装置１００を店頭の天井に取り付ける過程を示す図である。表示幕１１０は、事前に、固定側の表示幕巻取りパイプ１５０と可動側の表示幕巻取りパイプ１６０との双方に取り付けてある。
【００７０】
図２（ａ）に示すように、まず、固定側の表示幕巻取りパイプ１５０と可動側の表示幕巻取りパイプ１６０との双方を持ち、左側の操作ケース３００の下方に位置する。固定側の表示幕巻取りパイプ１５０の下端開口部１７２から表示幕装置設置操作棒４００を挿入して、表示幕装置設置操作棒４００に高ナット２２０を挿入した状態にする。
【００７１】
表示幕装置設置操作棒４００で固定側の表示幕巻取りパイプ１５０を持ち上げて、固定側の表示幕巻取りパイプ１５０の操作シャフト先端部品２１０を、操作ケース３００の貫通孔３０６に貫通させ、操作シャフト先端部品２１０によって操作ケース３００の押盤３２０を押し上げる。次いで、操作シャフト先端部品２１０の操作シャフトストッパ２４０が、操作ケース３００の係止孔３１０に挿入する位置まで、表示幕装置設置操作棒４００を回転させる。さらに、操作シャフト先端部品２１０の操作シャフトストッパ２４０が掛止するまで表示幕装置設置操作棒４００を回転させる。
【００７２】
上述したように、固定側の表示幕巻取りパイプ１５０は、表示幕１１０の正面に向って左側に取り付けられる。固定側の表示幕巻取りパイプ１５０は、操作ケース３００を下方から上方に向かってみた場合に、反時計回りに回したときに、操作シャフトストッパ２４０が操作ケース３００に掛止される。図１７（ａ）は、固定側の表示幕巻取りパイプ１５０を取り付けるための操作ケース３００を下方から上方に向かって見た正面図を示す。図１７（ａ）に示すように、操作シャフトストッパ２４０の軸部２４４を掛止するための係止孔３１０の細径部３１４が反時計側に位置する。表示幕装置設置操作棒４００を反時計側に回すことで、操作シャフトストッパ２４０を係止孔３１０の細径部３１４に掛止できる。
【００７３】
表示幕装置設置操作棒４００を固定側の表示幕巻取りパイプ１５０から離すことで、操作ケースバネ３２２の付勢力によって操作シャフト先端部品２１０が下方に押圧されて、固定側の表示幕巻取りパイプ１５０の左側の操作ケース３００への取り付けが完了する。このようにすることで、操作シャフト２００は操作ケース３００に係止され、操作シャフト２００は回転しない。固定側の表示幕巻取りパイプ１５０は操作シャフト２００に固定されているので、操作シャフト２００を操作ケース３００に係止することによって固定側の表示幕巻取りパイプ１５０も回転することなく、固定側の表示幕巻取りパイプ１５０を操作ケース３００に係止できる。
【００７４】
次に、図２（ｂ）に示すように、可動側の表示幕巻取りパイプ１６０を持ち、表示幕１１０を徐々に広げつつ、右側の操作ケース３００の下方まで移動する。図２（ｃ）及び図３に示すように、可動側の表示幕巻取りパイプ１６０を持ち上げて右側の操作ケース３００に取り付ける。
【００７５】
可動側の表示幕巻取りパイプ１６０の操作ケース３００への取り付けも、固定側の表示幕巻取りパイプ１５０と同様に行うことができる。上述したように、可動側の表示幕巻取りパイプ１６０は、表示幕１１０の正面に向って右側に取り付けられる。可動側の表示幕巻取りパイプ１６０は、操作ケース３００を下方から上方に向かってみた場合に、時計回りに回したときに、操作シャフトストッパ２４０が操作ケース３００に掛止される。図１７（ｂ）は、可動側の表示幕巻取りパイプ１６０を取り付けるための操作ケース３００を下方から上方に向かって見た正面図を示す。図１７（ｂ）に示すように、操作シャフトストッパ２４０の軸部２４４を掛止するための係止孔３１０の細径部３１４が時計側に位置する。表示幕装置設置操作棒４００を時計側に回すことで、操作シャフトストッパ２４０を係止孔３１０の細径部３１４に掛止できる。
【００７６】
このようにすることで、操作シャフト２００は操作ケース３００に係止され、操作シャフト２００が回転することはない。この状態で、可動側の表示幕巻取りパイプ１６０は下側に位置しているので、ワンウエイクラッチ２３０は伝達可能状態（下側の位置）である。ワンウエイクラッチ２３０が伝達可能状態であるので、可動側の表示幕巻取りパイプ１６０を時計回りに回すことができる。可動側の表示幕巻取りパイプ１６０を時計回りに回すことで、表示幕１１０を伸張させることができる。
【００７７】
したがって、可動側の表示幕巻取りパイプ１６０を操作ケース３００に取り付けた後、図１４に示すように、可動側の表示幕巻取りパイプ１６０を時計方向に回転して、表示幕１１０にテンションをかけて表示幕１１０の全体を伸張させて見栄えよくすることができる。
【００７８】
上述したように、ワンウエイクラッチ２３０が伝達可能状態であるので、可動側の表示幕巻取りパイプ１６０を反時計回りに回すことはできない。したがって、可動側の表示幕巻取りパイプ１６０を時計回りに回して、表示幕１１０を、一旦、伸張させた後は、表示幕１１０が緩むことはなく、表示幕１１０を伸張させた状態を維持することができる。
【００７９】
このように、可動側の表示幕巻取りパイプ１６０の取り付けは、固定側の表示幕巻取りパイプ１５０と異なり、可動側の表示幕巻取りパイプ１６０を操作ケース３００に取り付けた後、可動側の表示幕巻取りパイプ１６０を回転させて表示幕１１０にテンションをかけることができる。
【００８０】
固定側の表示幕巻取りパイプ１５０の操作シャフトストッパ２４０は、係止孔３１０の細径部３１４によって掛止され（図１７（ａ））、可動側の表示幕巻取りパイプ１６０の操作シャフトストッパ２４０は、係止孔３１０の細径部３１４によって掛止される（図１７（ｂ））。このように、固定側の表示幕巻取りパイプ１５０及び可動側の表示幕巻取りパイプ１６０は操作ケース３００に保持されるので、表示幕１１０の伸張状態を維持することができる。
【００８１】
＜＜情報表示装置１００の取り外し＞＞
情報表示装置１００の取り外しは、取り付けと逆の手順で行うことができる。まず、可動側の表示幕巻取りパイプ１６０の下方に移動し、可動側の表示幕巻取りパイプ１６０の操作溝１８０に表示幕テンション操作棒４１０のテンション操作棒端部棒体４１２を係合させてから時計回りに回しつつ上に移動させることで可動側の表示幕巻取りパイプ１６０を上側に移動させ、ワンウエィクラッチ２３０を回転自由状態にする。ワンウエィクラッチ２３０を回転自由状態にすることで、可動側の表示幕巻取りパイプ１６０を反時計回りにすることができる。図１３に示すように、可動側の表示幕巻取りパイプ１６０を反時計回りに回すことで、表示幕１１０を一旦緩めることができ、表示幕１１０の伸張状態を解除でき、可動側の表示幕巻取りパイプ１６０を操作ケース３００から取り外しやすい状態にできる。
【００８２】
さらに、表示幕装置設置操作棒４００を回転させることで、操作シャフト先端部品２１０を回転させて、貫通孔３０６に操作シャフト先端部品２１０を貫通させて、可動側の表示幕巻取りパイプ１６０の操作シャフト２００を操作ケース３００から取り外す。
【００８３】
可動側の表示幕巻取りパイプ１６０を操作ケース３００から取り外した後、可動側の表示幕巻取りパイプ１６０を持った状態で、固定側の表示幕巻取りパイプ１５０の下方まで移動し、固定側の表示幕巻取りパイプ１５０の下端開口部１７２から表示幕装置設置操作棒４００を挿入して高ナット２２０に表示幕装置設置操作棒４００を係合する。表示幕装置設置操作棒４００を上に移動させることで固定側の表示幕巻取りパイプ１５０を上側に移動させ、表示幕装置設置操作棒４００を回転させることで、操作シャフト先端部品２１０を回転させて、貫通孔３０６に操作シャフト先端部品２１０を貫通させて、固定側の表示幕巻取りパイプ１５０の操作シャフト２００を操作ケース３００から取り外す。
【００８４】
このようにすることで、固定側の表示幕巻取りパイプ１５０及び可動側の表示幕巻取りパイプ１６０に表示幕１１０を取り付けた状態で、固定側の表示幕巻取りパイプ１５０及び可動側の表示幕巻取りパイプ１６０を取り外すことができる。
【００８５】
このように、表示幕装置設置操作棒４００を用いれば、固定側の表示幕巻取りパイプ１５０及び可動側の表示幕巻取りパイプ１６０の取り付け及び取り外しをすることができるので、脚立等の台に乗ることなくかつ一人のみで情報表示装置１００の取り付けることができる。最近では、コンビニエンスストアなどの店舗では、人件費を削減するために一人の店員であらゆる対応をする場合が多い。表示幕１１０の設置や交換も一人ででき、店舗の最近の事情に対応することができる。
【符号の説明】
【００８６】
１００  情報表示装置
１１０  表示幕
１５０  固定側の表示幕巻取りパイプ
１６０  可動側の表示幕巻取りパイプ
２００  操作シャフト
２３０  ワンウエイクラッチ
【図１】
2016197206.tif 000003
【図２】
2016197206.tif 000004
【図３】
2016197206.tif 000005
【図４】
2016197206.tif 000006
【図５】
2016197206.tif 000007
【図６】
2016197206.tif 000008
【図７】
2016197206.tif 000009
【図８】
2016197206.tif 000010
【図９】
2016197206.tif 000011
【図１０】
2016197206.tif 000012
【図１１】
2016197206.tif 000013
【図１２】
2016197206.tif 000014
【図１３】
2016197206.tif 000015
【図１４】
2016197206.tif 000016
【図１５】
2016197206.tif 000017
【図１６】
2016197206.tif 000018
【図１７】
2016197206.tif 000019